(57)【要約】【課題】天レールや地レールによって支持されるのではなく天井と床面の間に独立に立設でき、且つ任意の角度に立設可能とすることで上記パネルの角度調節に容易に対応できる間仕切パネルの支柱立設構造を提供せんとする。【解決手段】側面でパネル７を支持する支柱本体５０と該支柱本体の同じく側面に突設された支持固定部５１とより支柱を構成し、支柱本体５０の下端に、断面円弧状の内周面５２を備え且つ当該端面に開口した略円筒形状の支持端部５０ａを形成するとともに、該支持端部の周壁に前記端面に開口した所定幅の切欠溝５４を形成し、床面の所定位置に、前記支持端部５０ａに内接するベース材８を固定しておき、該ベース材を切欠溝５４を通じて支持端部５０ａに受け入れた後、支柱５を回転させることによりベース材８で支柱を支承し、所定の角度位置にて支持固定部５１を天井又は床面に係止することにより支柱５を回転不能に固定した。【選択図】          図３
2004211394.tif 000002
【特許請求の範囲】
【請求項１】
天井と床面の間に支柱を適宜離間して立設し、これら立設した支柱間毎にパネルを装着してなる間仕切パネルにおいて、前記支柱を、前記パネルを側面で支持する支柱本体と該支柱本体の同じく側面に突設された支持固定部とより構成し、前記支柱本体の上端及び下端のうち少なくとも一方に、断面円弧状の内周面を備え且つ当該端面に開口した略円筒形状の支持端部を形成するとともに、該支持端部の周壁に前記端面に開口した所定幅の切欠溝を形成し、天井及び床面の一方又は双方の所定位置には、前記略円筒形状の支持端部に内接するベース材を固定し、該ベース材を前記切欠溝を通じて支持端部に受け入れた後、当該支柱を回転させることにより前記ベース材で当該支柱を支承し、所定の角度位置にて前記支持固定部を天井又は床面に係止することにより当該支柱を回転不能に固定してなることを特徴とする間仕切パネルの支柱立設構造。
【請求項２】
前記ベース材の軸心部及び該軸心からズレた単又は複数部位に、天井又は床面に当該ベース材をネジ止めするための貫通した縦孔をそれぞれ穿設し、前記軸心部の縦孔の中心を既定点に位置合わせした上で、当該ベース材を所定方向にネジ止め固定してなる請求項１記載の間仕切パネルの支柱立設構造。
【請求項３】
前記ベース材の軸心部を挟んで対向する外周位置に、前記略円筒形状の支持端部に内接する断面円弧状の部分接当面を設けてなる請求項１又は２記載の間仕切パネルの支柱立設構造。
【請求項４】
前記支持固定部に、天井又は床面に固定されるネジの軸部に係合する係合凹部を設け、前記ネジと係合凹部との係合により当該支持固定部を所定の角度位置にて天井又は床面に係止してなる請求項１〜３の何れか１項に記載の間仕切パネルの支柱立設構造。
【発明の詳細な説明】
【０００１】
【発明の属する技術分野】
本発明は、間仕切パネルの支柱立設構造に係わり、更に詳しくは天井と床面の間に支柱を適宜離間して立設し、これら立設した支柱間毎にパネルを装着してなる間仕切パネルの支柱立設構造に関する。
【０００２】
【従来の技術】
従来、天井と床面の間に支柱を適宜離間して立設し、これら立設した支柱間毎にパネルを装着してなる間仕切パネルは各種提供されており、その支柱立設構造としては、天井に配設した天レールと床面に配設した地レールの間に、該地レールに内嵌したアジャスターにて下端を支持して支柱を適宜離間して立設する構造が一般的である（例えば、特許文献１参照。）。
一方、近年のオフィスビルはデザイン上、平面視四角形以外に円形や楕円形、多角形、これらの組合せ等の種々の新規形状を採用する傾向にあり、これに応じて各フロアの通路も前記多角形等に沿った形状となり、これら通路と部屋を区切る間仕切パネルとして任意な方向に自由に角度調節できるものが求められている。
【０００３】
しかしながら、上記従来の間仕切パネルの支柱立設構造では、任意な角度に方向を違える間仕切パネルの当該屈曲部において、天レールや地レールをその都度左右に分割構成した上で、当該角度で互いに連結する必要が生じ、施工の手間と製作コストが嵩むといった問題があった。
【０００４】
【特許文献１】
特開平１０−８８７１２号公報
【０００５】
【発明が解決しようとする課題】
そこで、本発明が前述の状況に鑑み、解決しようとするところは、天レールや地レールによって支持されるのではなく天井と床面の間に独立に立設でき、且つ任意の角度に立設可能とすることで上記パネルの角度調節に容易に対応できる間仕切パネルの支柱立設構造を提供する点にある。
【０００６】
【課題を解決するための手段】
本発明は、前述の課題解決のために、天井と床面の間に支柱を適宜離間して立設し、これら立設した支柱間毎にパネルを装着してなる間仕切パネルにおいて、前記支柱を、前記パネルを側面で支持する支柱本体と該支柱本体の同じく側面に突設された支持固定部とより構成し、前記支柱本体の上端及び下端のうち少なくとも一方に、断面円弧状の内周面を備え且つ当該端面に開口した略円筒形状の支持端部を形成するとともに、該支持端部の周壁に前記端面に開口した所定幅の切欠溝を形成し、天井及び床面の一方又は双方の所定位置には、前記略円筒形状の支持端部に内接するベース材を固定し、該ベース材を前記切欠溝を通じて支持端部に受け入れた後、当該支柱を回転させることにより前記ベース材で当該支柱を支承し、所定の角度位置にて前記支持固定部を天井又は床面に係止することにより当該支柱を回転不能に固定してなることを特徴とする間仕切パネルの支柱立設構造を構成した。
【０００７】
ここで、前記ベース材の軸心部及び該軸心からズレた単又は複数部位に、天井又は床面に当該ベース材をネジ止めするための貫通した縦孔をそれぞれ穿設し、前記軸心部の縦孔の中心を既定点に位置合わせした上で、当該ベース材を所定方向にネジ止め固定してなるものが好ましく、前記ベース材の軸心部を挟んで対向する外周位置に、前記略円筒形状の支持端部に内接する断面円弧状の部分接当面を設けてなるものが好ましい。
【０００８】
また、前記支持固定部に、天井又は床面に固定されるネジの軸部に係合する係合凹部を設け、前記ネジと係合凹部との係合により当該支持固定部を所定の角度位置にて天井又は床面に係止してなるものが好ましい。
【０００９】
【発明の実施の形態】
次に、本発明の実施形態を添付図面に基づき詳細に説明する。
【００１０】
図１は、本発明に係る間仕切パネルの全体構成を示し、図２は同じく間仕切パネルの分解斜視図を示し、図３〜６は本発明の詳細を示し、図中符号１は天レール、２は地レール、３は笠木、４は巾木、５は支柱、６は連結部材、７はパネル、８はベース材、９は取付具をそれぞれ示している。
【００１１】
本発明に係る間仕切パネルは、天井と床面の間に、支柱５を適宜離間して立設し、前記支柱５、５間の天井に天レール１を配設し、同じく支柱５、５間の床面に地レール２を配設し、前記天レール１の外面下部を覆う笠木３と前記地レール２の外面上部を覆う巾木４を設け、これら立設した支柱５、５、笠木３及び巾木４よりなる枠体にパネル７を装着した構造のものである。支柱５は、該天井又は床面に固定したベース材８にて上端又は下端を支持して立設した構造である。また、パネル７の側端部は、支柱５の外周所定の角度位置にネジ止めした連結部材６に対して取付具９により支持させた構造である。また、パネル７の上下端部は、支柱５の連結部材６に固定した巾木４にパネル７の下端を支持させるとともに、笠木３を天レール１に外嵌した状態で上方に移動させ、支柱に沿った立起状態のパネル７に対してその上端に前記笠木を下降係合してなる構造である。
【００１２】
前記天レール１は、上面板１１と表裏両垂下板１２、１２とからなる下方開放した断面略コ字形の長尺部材であり、その凹溝部１３を下方へ向けて上面板１１を天井にネジ止め固定している。また、地レール２は、下面板２１と表裏両立上板２２、２２とからなる上方開放した断面略コ字形の長尺部材であり、その凹溝部２３を上方へ向けて下面板２１を床面にネジ止め固定している。
【００１３】
また、前記笠木３及び前記巾木４は、それぞれ前記天レール１の外面下部及び前記地レール２の外面上部を長手方向に渡って覆う部材であり、その側面には、それぞれパネル７の上端７ａ及び下端７ｂを係合支持する断面略Ｌ字形の上部支持片３１及び下部支持片４１が長手方向に渡り突設されている。また、前記笠木３及び前記巾木４には、それぞれ端部へ開放した嵌合溝３０、４０が長手方向に渡って形成されている。尚、本実施形態ではアルミニウムの押出し成形品を用いているが、その他スチール製の成形品等であっても良く、また、この嵌合溝３０、４０は後述のアングル材３２、４２を嵌挿して前記笠木３及び巾木４の端部を連結部材６に固定するためのものであり、当該端部にのみ形成しても良い。
【００１４】
そして、前記支柱５は、前記パネル７を直接又は連結部材６を介して側面で支持する内部中空の支柱本体５０と、該支柱本体５０の同じく側面に突設された内部中空の支持固定部５１とより構成され、前記支柱本体５０に、断面円弧状の内周面５２及び外周面５３を形成した構造である。本実施形態ではアルミニウムの押出し成形品を用いたが、同様の機能を有するスチール製の折り曲げ成形品でも良く、一体物でもまた二部材以上を組合せた複合物でも良い。
【００１５】
前記連結部材６は、前記パネル７を支柱５に対して適宜な角度位置に取付けるための部材であり、前記支柱５と略同一長さの寸法を有し、笠木３及び巾木４に対向する外側面に、長手方向に沿って上下に延びる凹溝６０を形成するとともに、前記支柱５の外周面５３に対して摺動する当接片６１を設け、更に、支柱外周方向に沿った端部にパネル側端部を固定するための凹部６２を形成した構造であり、前記支柱５と同様、アルミニウムの押出し成形品やスチール製の折り曲げ成形品で構成される。
【００１６】
前記パネル７は、本実施形態ではガラスパネルであり、図４にも示すように、断面略Ｌ字形の鉤片７１を突設したブラケット材７０を、両面テープ７４又はコーキング材にてパネル側端部に沿って装着したものであり、前記両面テープ７４を張り付けるブラケット材７０の接着面には気泡抜き用の凹溝７０ａが形成され、エア溜まりを防止して透明なガラスパネルの優れた外観性が維持されている。尚、ガラスパネル以外にスチールパネルやクロスパネル、その他のパネル、これらを適宜組合せたパネルを用いることもできる。
【００１７】
本発明を、図３〜６に基づいて更に詳細に説明する。
【００１８】
本発明の間仕切パネルの支柱立設構造は、天井と床面の間に支柱５を適宜離間して立設し、これら立設した支柱５、５間毎にパネル７を装着してなる間仕切パネルにおいて、前記支柱５を、前記パネル７を側面で支持する支柱本体５０と該支柱本体５０の同じく側面に突設された支持固定部５１とより構成し、前記支柱本体５０の上端及び下端のうち少なくとも一方に、断面円弧状の内周面５２を備え且つ当該端面に開口した略円筒形状の支持端部５０ａを形成するとともに、該支持端部５０ａの周壁に前記端面に開口した所定幅の切欠溝５４を形成し、天井及び床面の一方又は双方の所定位置に、前記略円筒形状の支持端部５０ａに内接するベース材８を固定しておき、図３（ａ）〜（ｃ）に示すように、該ベース材８を前記切欠溝５４を通じて支持端部５０ａに受け入れた後、当該支柱５を回転させることにより前記ベース材８で当該支柱５を支承し、図４に示すように、所定の角度位置にて前記支持固定部５１を天井又は床面に係止することにより当該支柱５を回転不能に固定してなることを要旨としている。
【００１９】
前記ベース材８は、充分な強度を有する鉄等の中実の金属加工品或いは合成樹脂成形品で構成され、軸心部及び該軸心からズレた単又は複数部位に、天井又は床面に当該ベース材８をネジ止めするための貫通した縦孔８０、８０がそれぞれ穿設され、前記軸心部を挟んで対向する外周位置には、前記支柱５の支持端部５０ａの内周面５２に内接する断面円弧状の部分接当面８１、８１が形成されている。即ち、前記ベース材８は、円柱形状から前記部分接当面８１、８１を除く両側をカットした略小判形状であり、前記切欠溝５４に挿通される幅寸法を有し、前記軸心部の縦孔８０の中心を床面或いは天井に予め墨出しした既定点に位置合わせした上、ネジ８２、８２により所定の方向に固定される。
【００２０】
そして、前記固定されたベース材８を前記切欠溝５４を通じて支持端部５０ａに受け入れ、当該支柱５を回転させることにより前記ベース材８が前記切欠溝５４から抜け出ることなく当該支柱５を床面或いは天井に支承するので、該支柱５の角度調節が容易となり作業性は著しく向上する。
【００２１】
また、前記支柱５の支持固定部５１は、断面略コ字形に突出した両突出片間の内部に仕切板５１ａを渡設した構造であり、該仕切板５１ａに天井又は床面に固定されるネジ軸部に係合する係合凹部５５が形成され、図４に示すように、ネジ５６と前記係合凹部５５との係合により当該支持固定部５１が所定の角度位置にて天井又は床面に回転不能に係止され、これにより当該支柱５も所定の角度に固定される。前記支持固定部５１の両突出片先端には内方に屈曲した係止縁５１ｂ、５１ｂが形成されており、前記ネジ頭部を挾持する断面略コ字形のキャップ５９が前記係止縁５１ｂ、５１ｂに係止して装着される。尚、本例ではベース材８を受け入れた後略９０°回転した位置で前記支持固定部５１をネジ５６にて回転不能に係止しており、前記ベース材８は当該支柱５の固定角度に応じた方向に予め固定されることとなる。また、前記支持固定部５１には前記係合凹部５５を設ける代わりにネジ５６を斜めに挿通する通孔を設けても良い。
【００２２】
前記支柱５に対するパネル取付角度の調節は、前記連結部材６を前記支柱５の外周所定の角度位置にネジ６３により固定し、前記凹部６２にパネル側端部７ｃを固定することにより当該連結部材６を介して当該パネル７を支柱間空間より外方位置にて所定の方向に取付けるのである。より詳しくは、前記支柱本体５０の外周壁に設けた凹溝５７の底面に前記当接片６１が摺動する外周面５３を構成し、当該外周面５３により前記当接片６１を凹溝５７内部の範囲内において周方向に沿って摺動案内することにより連結部材６を所定の角度位置に設定するのである。
【００２３】
パネル７の側端部の支持は、前記連結部材６の凹部６２に前記ブラケット材７０の鉤片７１を合着させた上、前記取付具９でこれら凹部６２及び鉤片７１を挟み込むことにより前記ブラケット材７０と連結部材６を一体化する構造である。前記パネルを支持する凹部６２は、連結部材６の支柱外周方向に沿った両端部のうち前記支柱５を回転不能に係止する支持固定部５１と反対側の端部に設けられており、該支持固定部５１におけるネジ５６と前記係合凹部５５との係合は、支柱間空間より外方位置にパネル７を取付けた支柱５の当該パネル側への倒れを防止する支持手段としても機能する。
【００２４】
取付具９は、前記凹部６２及び鉤片７１を挾持する断面略コ字形の鉤状部９１とこれに連続した本体部９０とより構成された長尺なアルミニウムの押出し成形品であり、前記鉤状部９１を前記凹部６２及び鉤片７１に外嵌して一体化した後、前記本体部９０を前記連結部材６の凹溝６０内面に対してネジ９３で固定した上、前記凹溝６０と鉤状部９１との間にキャップ９４が装着される。前記キャップ９４は両端に係止片９４ａ、９４ｂを突設した断面略π字形の長尺成形品であり、これら係止片９４ａ、９４ｂを前記取付具９の本体部９０に設けた係合部９０ａ、９０ｂに係止して装着されている。
【００２５】
パネルの上下端部の支持は、前記連結部材６に固定した巾木４の下部支持片４１にパネル下端７ｂを支持させ、前記天レール１に外嵌した笠木３を上方に移動させて前記パネル７を支柱５に沿った立起状態とし、当該パネル上端７ａに対して前記笠木３を下ろして上部支持片３１を係合した後、該笠木３を連結部材６に固定する構造であり、前記笠木３及び巾木４に形成した前記嵌合溝３０、４０に端部よりそれぞれＬ字状に屈曲したアングル材３２、４２の一端側を嵌挿して固定し、各アングル材の他端側を連結部材６の凹溝６０内に係入して所定の上下位置でそれぞれネジ３３、４３により固定するものであり、パネル７を立起させる際に上方に移動する笠木３は、両端に設けた前記アングル材３２を左右の連結部材の凹溝６０、６０に係入した状態で上下にスライド可能に支持され、上部支持片３１をパネル上端７ａに係合した後、ネジ３３により凹溝６０内に固定するのである。
【００２６】
以上の実施形態においては連結部材６を介して角度調節可能にパネル７を支持する間仕切パネルについて説明したが、本発明の支柱立設構造はこれに限らず、例えば図５及び図６に示すように支柱５側面にパネルを支持する連結部５８を一体的に突出成形したものであっても同様に適用できる。支柱５は、支柱本体５０の側面にパネル７を支持する前記連結部５８を一体的に突出形成したものであり、該支柱本体５０の同じく側面には、上記実施形態と同様の構造を有する支持固定部５１が突設されている。
【００２７】
前記連結部５８は、上記連結部材６と同様、長手方向に沿って上下に延びる凹溝６０を形成するとともに、支柱外周方向に沿った端部にパネル側端部を固定するための凹部６２を形成した構造であり、支柱本体５０は、上記実施形態と同様、断面円弧状の内周面５２を備え且つ当該端面に開口した略円筒形状の支持端部５０ａが形成されるとともに、該支持端部５０ａの周壁に前記端面に開口した所定幅の切欠溝５４が形成され、ベース材８を受け入れ当該支柱５を支承し、所定の角度位置にて前記支持固定部５１を天井又は床面に係止することにより当該支柱５を回転不能に固定するのであり、パネル７の支持については、前記連結部５８により上記実施形態と同様に支持される構造である。
【００２８】
【発明の効果】
以上のように、本発明の間仕切パネルの支柱立設構造によれば、前記支柱を、前記パネルを側面で支持する支柱本体と該支柱本体の同じく側面に突設された支持固定部とより構成し、前記支柱本体の上端及び下端のうち少なくとも一方に、断面円弧状の内周面を備え且つ当該端面に開口した略円筒形状の支持端部を形成するとともに、該支持端部の周壁に前記端面に開口した所定幅の切欠溝を形成し、天井及び床面の一方又は双方の所定位置には、前記略円筒形状の支持端部に内接するベース材を固定し、該ベース材を前記切欠溝を通じて支持端部に受け入れた後、当該支柱を回転させることにより前記ベース材で当該支柱を支承し、所定の角度位置にて前記支持固定部を天井又は床面に係止することにより当該支柱を回転不能に固定してなるので、天レールや地レールによって支持されるのではなく天井と床面の間に独立に支柱を立設でき、且つ任意の角度に立設可能とすることで、天レールや地レールを分割構成するといった施工の手間やコストを掛けることなく間仕切パネルの角度調節に容易に対応できることとなる。
【００２９】
また、前記ベース材の軸心部及び該軸心からズレた単又は複数部位に、天井又は床面に当該ベース材をネジ止めするための貫通した縦孔をそれぞれ穿設し、前記軸心部の縦孔の中心を既定点に位置合わせした上で、当該ベース材を所定方向にネジ止め固定したので、支柱を支持するベース材を、所定の位置にて支柱の設置角度に応じた所定の方向に容易に固定できる。
【００３０】
また、前記支持固定部に、天井又は床面に固定されるネジの軸部に係合する係合凹部を設け、前記ネジと係合凹部との係合により当該支持固定部を所定の角度位置にて天井又は床面に係止したので、当該支持固定部の係合とベース材による支持により天井又は床面に支柱を容易に固定できる。
【図面の簡単な説明】
【図１】本発明の実施形態に係る間仕切パネルを示す斜視図。
【図２】同じく間仕切パネルの分解斜視図。
【図３】（ａ）〜（ｃ）は、ベース材で支柱を支承する様子を示す要部の斜視図。
【図４】パネルを支持した支柱を示す断面図。
【図５】（ａ）〜（ｃ）は、変形例の支柱をベース材で支承する様子を示す要部の斜視図。
【図６】パネルを支持した変形例の支柱を示す断面図。
【符号の説明】
１  天レール            ２  地レール
３  笠木                ４  巾木
５  支柱                ６  連結部材
７  パネル              ７ａ  上端
７ｂ  下端              ７ｃ  側端部
８  ベース材            ９  取付具
１１  上面板            １２  垂下板
１３  凹溝部            ２１  下面板
２２  立上板            ２３  凹溝部
３０  嵌合溝            ３１  上部支持片
３２  アングル材        ３３  ネジ
４０  嵌合溝            ４１  下部支持片
４２  アングル材        ４３  ネジ
５０  支持本体          ５０ａ  支持端部
５１  支持固定部        ５１ａ  仕切板
５１ｂ  係止縁          ５２  内周面
５３  外周面            ５４  切欠溝
５５  係合凹部          ５６  ネジ
５７  凹溝              ５８  連結部
５９  キャップ          ６０  凹溝
６１  当接片            ６２  凹部
６３  ネジ              ７０  ブラケット材
７０ａ  凹溝            ７１  鉤片
７４  両面テープ        ８０  縦孔
８１  部分接当面        ８２  ネジ
９０  本体部            ９０ａ  係合部
９０ｂ  係合部          ９１  鉤状部
９３  ネジ              ９４  キャップ
９４ａ  係止片          ９４ｂ  係止片
【図１】
2004211394.tif 000003
【図２】
2004211394.tif 000004
【図３】
2004211394.tif 000005
【図４】
2004211394.tif 000006
【図５】
2004211394.tif 000007
【図６】
2004211394.tif 000008